(57)【要約】【課題】  磁気テープ記録再生装置の磁気ヘッドギャップとガイドローラとの相対位置を、調整用基準テープを用いる事無く簡易に調整するための方法と装置を提供する。【解決手段】  磁気テープ記録再生装置７上に定義した装置基準面に対して、ガイドローラ９及び磁気ヘッドギャップ１１の相対位置調整をそれぞれ独立して行うことにより、結果として両者の相対位置関係を保証する。【選択図】  図１
2006252644.tif 000002
【特許請求の範囲】
【請求項１】
磁気テープ記録再生装置において、磁気ヘッドブロックのスライダ面に組み込まれた磁気ヘッドギャップと、磁気ヘッドブロックを中心とした両側にそれぞれ一本ずつ適当な距離をおいて配された２本のガイドローラとの相対的な位置と傾きを調整する方法であって、
磁気テープ記録再生装置上に定義された装置基準面に対して磁気ヘッドギャップの相対的な位置と傾きを調整する磁気ヘッドギャップ調整工程と、
前記装置基準面に対して前記２本のガイドローラの位置と傾きを調整するガイドローラ調整工程とを含むことを特徴とする磁気ヘッド位置の調整方法。
【請求項２】
磁気ヘッドギャップ調整工程が、磁気テープ記録再生装置上に定義された装置基準面に対して磁気ヘッドギャップの相対的な位置と傾きを、相互に直交する３軸の各軸心に沿った位置調整要素と各軸心廻りの回転方向に沿った傾き調整要素の６調整要素に関して調整するものであって、
要求調整精度の低い調整要素に対して調整を行う第一の調整工程と、
第一の調整工程の後に要求調整精度の高い調整要素に対して調整を行う第二の調整工程とを含むことを特徴とする請求項１に記載の磁気ヘッド位置の調整方法。
【請求項３】
磁気テープ記録再生装置上に定義された装置基準面に対して、磁気ヘッドギャップの相対的な位置と傾きを調整する調整装置であって、
調整装置上に定義された第一の基準面と、第一の基準面に対して予め定められた相対位置関係にて固定された第二の基準面と、第一の基準面に配される磁気テープ記録再生装置を保持して磁気テープ記録再生装置の装置基準面を固定する保持・固定手段と、第二の基準面に固定された光学顕微鏡とを備えたことを特徴とする磁気ヘッド位置の調整装置。
【請求項４】
請求項３に記載の磁気ヘッド位置の調整装置を用いるものであって、光学顕微鏡による拡大画像の全視野の合焦状態情報を基にして、磁気テープ記録再生装置上に定義された装置基準面に対する磁気ヘッドギャップの相対的な位置と傾きを調整することを特徴とする磁気ヘッド位置の調整方法。
【請求項５】
請求項１〜４に記載した何れか１項に記載の方法もしくは装置を用いて組み立てを行った磁気テープ記録再生装置。
【発明の詳細な説明】
【技術分野】
【０００１】
本発明は磁気ヘッド位置の調整方法及び装置に関し、磁気テープ記録再生装置の組み付けにおいて、良好なる記録再生性能を確保するために最も重要な要素のひとつである、磁気ヘッドギャップとガイドローラとの相対的な位置と傾きを、容易かつ高精度に調整する技術に係るものである。
【背景技術】
【０００２】
磁気テープ記録再生装置において、磁気テープに対して良好な記録再生性能を保証するためには、テープ面と磁気ヘッドギャップが完全に面接触し、かつ適当な力で押し当てられなければならない。そのためには、磁気ヘッドブロックおよび周辺のテープリール、ガイドローラからなるテープ走行系部品がそれぞれ適正な位置関係に存在する事が必要となる。
【０００３】
これらのテープ走行系部品の位置関係を図３（ａ）に示す一般的な磁気テープ記録再生装置の模式図を用いて説明する。図３（ａ）において、磁気テープ記録再生装置には、装置底面に組み付け操作を行うための基準となる３個の基準点が定義されており、この３個の基準点を含む面をもって組み付け基準面となす。
【０００４】
また、装置底面の基準点１及び２には、組み付け基準面上に基準座標の２次元座標を定義するための基準穴を設けている。
図３（ａ）の図中に示すリールモータ８、ガイドローラ９、磁気ヘッドギャップ１１のそれぞれは、組み付け基準面及び基準座標に対して、相互に直交するｘ、ｙ、ｚの３軸の各軸心に沿った位置調整要素（軸）と、３軸の各軸心廻りの回転方向成分であるアジマス、ジーナス、ロールの傾き調整要素（軸）との６調整要素（軸）に関して適正な位置に組みつけられねばならない。この調整要素を磁気ヘッドブロック１０を代表として図中に記載する。
【０００５】
従来、これら走行系部品の相対位置調整は、ガイドローラ９の高さ、すなわちｚ軸方向に関する成分を除き、全てその構成部品加工精度に基づいた装置基準に対する組み付け公差で保証し、一般に要求精度の最も高い磁気ヘッドブロックのアジマス調整のみ、図３（ｂ）に示すように、基準信号の記録された調整用基準テープ２１を巻回したテープリール２２を磁気テープ記録再生装置に装着し、磁気ヘッドで再生させながらガイドローラ９の高さを調整することにより行っていた。
【０００６】
例えば、特許文献１には、複合型磁気ヘッドの相互の磁気ヘッド取付位置決めを行うヘッド取付位置決め調整装置が記載されており、これは、録音用磁気ヘッドと再生用磁気ヘッドに同時に磁気テープを摺動させるテープ駆動手段と、基準信号を発生する基準信号発生手段と、前記録音用磁気ヘッドの記録信号出力と前記再生用磁気ヘッドの再生信号出力を測定する信号出力測定手段と、この信号出力測定手段の出力により前記録音用磁気ヘッドと前記再生用磁気ヘッドの相互のギャップの平行度を調整する平行度調整手段とを備えるものである。
【０００７】
また、他の従来の調整方法としては、例えば図４に示すものがある。図４において、調整治具２３は、ベースプレート１６、磁気テープ記録再生装置７の基準点を受ける固定ピン１７、レーザ測長機１８、レーザ測長機１８をベースプレート１６に対して垂直に移動させる一軸移動手段１９を備えている。
【０００８】
まず、予め規定の精度にて装置基準面と磁気ヘッドギャップとの相対位置決めがなされたマスターワークを調整治具２３に固定し、図中の測定位置１及び距離ｄだけ離れた測定位置２における磁気ヘッドブロックのスライダ面までの距離をそれぞれ測定し、これをＭ１及びＭ２とする。
【０００９】
次に、調整を行う磁気テープ記録再生装置７を調整治具２３に設置し、マスターワークに対するものと同様の手順で測定位置１および測定位置２の２点の距離を計測して、これをＷ１及びＷ２とする。
【００１０】
これらより、マスターワークのジーナス成分をＺｍとした場合、調整を行う磁気テープ記録再生装置７のジーナス成分Ｚｗは以下の式により求められる。
【００１１】
【数１】
2006252644.tif 000003
以降、Ｚｗの価が規定値以下となるまで磁気ヘッドブロックの傾斜の調整と測定を繰り返すものである。
【特許文献１】特開平５−６５１１号公報
【発明の開示】
【発明が解決しようとする課題】
【００１２】
しかしながら、近年の磁気テープ記録密度及び記録再生速度の向上に伴うテープ走行速度の増加により、テープのヘッド押圧力が増加し、またテープ自体の走行慣性（イナーシャ）も増加するために、従来の部品組み付け公差調整とガイドローラによる走行経路調整とを行うだけでは、前述した６調整要素（軸）中のアジマス、ジーナスの２つの調整要素の調整管理が困難となってきている。
【００１３】
具体的に説明すると、まずアジマス調整においては、テープ走行速度と走行慣性の増加によってガイドローラ高さを変化させてもテープ走行経路がそれに追従せず、最悪のケースではローラのフランジ部へのテープ乗り上げやテープ端面のしわの発生等の現象を起こす。
【００１４】
また、ジーナス調整においては、テープと磁気ヘッドスライダ面のより緊密な接触状態が要求され、従来の部品組み付け公差ではその記録再生性能を保証することができなくなってきている。
【００１５】
本発明は上記問題を解決するためのもので、磁気ヘッドブロックのスライダ面に組み込まれた磁気ヘッドギャップとその両側に配されるガイドローラとの相対的な位置と傾きを、調整用基準テープを用いることなく、容易かつ高精度に調整するための方法及び同方法を具現化するための装置を提供する。
【課題を解決するための手段】
【００１６】
上記問題を解決するために、本発明の請求項１に記載の磁気ヘッド位置調整方法は、磁気テープ記録再生装置において、磁気ヘッドブロックのスライダ面に組み込まれた磁気ヘッドギャップと、磁気ヘッドブロックを中心とした両側にそれぞれ一本ずつ適当な距離をおいて配された２本のガイドローラとの相対的な位置と傾きを調整する方法であって、磁気テープ記録再生装置上に定義された装置基準面に対して磁気ヘッドギャップの相対的な位置と傾きを調整する磁気ヘッドギャップ調整工程と、前記装置基準面に対して前記２本のガイドローラの位置と傾きを調整するガイドローラ調整工程とを含むことを特徴とするものである。
【００１７】
この構成により、磁気ヘッドギャップとガイドローラは装置基準面に対してそれぞれ独立して相対位置が保証され、その結果として磁気ヘッドギャップとガイドローラとの相対位置が保証される。したがって、従来の調整用基準テープを走行・再生させながらの調整を行う必要がなく、ひいては装置の性能向上に伴い発生する各種の調整上の障害を回避することができる。
【００１８】
本発明の請求項２に記載の磁気ヘッド位置調整方法は、磁気ヘッドギャップ調整工程が、磁気テープ記録再生装置上に定義された装置基準面に対して磁気ヘッドギャップの相対的な位置と傾きを、相互に直交する３軸の各軸心に沿った位置調整要素と各軸心廻りの回転方向に沿った傾き調整要素の６調整要素に関して調整するものであって、要求調整精度の低い調整要素に対して調整を行う第一の調整工程と、第一の調整工程の後に要求調整精度の高い調整要素に対して調整を行う第二の調整工程とを含むことを特徴とするものである。
【００１９】
上記した構成において、６調整要素が相互に直交する３軸をｘ、ｙ、ｚとし、３軸の各軸心廻りの回転方向成分をアジマス、ジーナス、ロールとする場合に、一般的な磁気テープ記録再生装置では、磁気ヘッドブロックの６調整要素のうちで、アジマスとジーナスの調整要素に比較して他のｘ、ｙ、ｚ、ロールの４調整要素の要求調整精度は低い。
【００２０】
したがって、装置基準面に対する磁気ヘッドギャップの相対位置調整において、まずｘ、ｙ、ｚ、ロールの４調整要素について調整を行う第一の調整工程と、引き続きアジマスとジーナスの２成分について調整を行う第二の調整工程とを繰り返すことにより、多軸位置調整に伴いがちである再調整の発生を最低限に抑え、いち早く要求精度に収束する事が可能となり、調整に要する時間を大幅に短縮することができる。
【００２１】
本発明の請求項３に記載の磁気ヘッド位置調整装置は、磁気テープ記録再生装置上に定義された装置基準面に対して、磁気ヘッドギャップの相対的な位置と傾きを調整する調整装置であって、調整装置上に定義された第一の基準面と、第一の基準面に対して予め定められた相対位置関係にて固定された第二の基準面と、第一の基準面に配される磁気テープ記録再生装置を保持して磁気テープ記録再生装置の装置基準面を固定する保持・固定手段と、第二の基準面に固定された光学顕微鏡とを備えたことを特徴とするものである。
【００２２】
このように構成された装置を用いることにより、磁気テープ記録再生装置上に定義された基準面に対する、磁気ヘッドギャップの相対的な高さと傾きとを容易に調整することが可能である。
【００２３】
本発明の請求項４に記載の磁気ヘッド位置調整方法は、請求項３に記載の磁気ヘッド位置の調整装置を用いるものであって、光学顕微鏡による拡大画像の全視野の合焦状態情報を基にして、磁気テープ記録再生装置上に定義された装置基準面に対する磁気ヘッドギャップの相対的な位置と傾きを調整することを特徴とするものである。
【００２４】
上記した構成おいて、固定された顕微鏡の画像を元にジーナス成分の視認が可能であるため、調整作業が容易となり、調整作業に要する時間を大幅に短縮することが可能となる。
【００２５】
本発明の請求項５に記載の磁気テープ記録再生装置は、請求項１〜４に記載した何れか１項に記載の方法もしくは装置を用いて組み立てを行うことを特徴とするものである。
この構成により、要求精度の高い調整作業が高品質かつ効率よく低コストにて施されたものとなる。
【発明の効果】
【００２６】
以上のように本発明によれば、磁気ヘッドブロックのスライダ面に組み込まれた磁気ヘッドギャップと、磁気ヘッドブロックを中心とした両側にそれぞれ一本ずつ適当な距離をおいて配された２本のガイドローラとの相対的な位置と傾きを、調整用基準テープを用いる事無く容易かつ高精度に調整することができる。
【発明を実施するための最良の形態】
【００２７】
以下、本発明の実施の形態について図面を参照しながら説明する。図１は本発明の第１の実施の形態における磁気ヘッド位置調整装置を示す斜視図、図２は磁気ヘッド位置調整方法の調整過程を説明するための説明図である。
【００２８】
図１において、磁気ヘッド位置調整装置は、この調整装置上に定義された第一の基準面１と、第一の基準面１に対して予め定められた相対位置関係にて固定された第二の基準面２を備えている。
【００２９】
第一の基準面１に設けたピン３、４、５は、磁気テープ記録再生装置７を保持して磁気テープ記録再生装置７の装置基準面を固定する保持・固定手段をなすものであり、磁気テープ記録再生装置７の下面に定義された基準面定義用点の配置と一致するように相互間を位置決めして第一の基準面１に固定されている。
【００３０】
ここで、ピン４及びピン５はテーパ付平面段付加工としており、テーパ部４ａ、５ａを磁気テープ記録再生装置上に加工された位置決め穴２４、２５に勘合させることで、ピン４及びピン５の平面段付部４ｂ、５ｂとピン３とにより、磁気テープ記録再生装置７の装置基準面上の２次元座標を定義している。
【００３１】
第二の基準面２には光学顕微鏡６を固定している。本実施の形態では、光学顕微鏡６として従来公知の技術である２分割カメラを用いており、その構成については後述する。
磁気テープ記録再生装置７には、リールモータ８、ガイドローラ９、磁気ヘッドブロック１０を装着しており、磁気ヘッドブロック１０はスライダ面に磁気ヘッドギャップ１１を組み込んでいる。
【００３２】
磁気ヘッドブロック１０は、磁気ヘッドブロック取り付け板１２と調整用ネジ１４ａ、１４ｂ、１４ｃ及びダンパー１３とにより構成される調整機構上に配置されており、磁気ヘッドブロック取り付け板１２に磁気ヘッドブロック固定ネジ１５で固定されている。この調整機構が調整する調整要素は、ジーナス、アジマス、ｚ成分であり、この調整要素については後述する。
【００３３】
調整用ネジ１４ａ、１４ｂ、１４ｃは、磁気ヘッドブロック取り付け板１２に加工された穴と、中空であるダンパー１３とを介して、ネジ穴加工のなされた磁気テープ記録再生装置７のシャーシにそれぞれ勘合されており、ダンパー１３の弾性範囲内での位置調整が可能な構造となっている。
【００３４】
また、磁気ヘッドブロック１０に設けられた固定ネジ用穴径は、磁気ヘッドブロック固定ネジ１５の直径より若干大きめとしてあり、磁気ヘッドブロック１０は磁気ヘッドブロック取り付け板１２上にてｘ、ｙ、ロール成分の位置調整が行える。
【００３５】
２分割カメラは、例えば図５に示すような構成をなし、対物レンズ２６、コリメートレンズ２７、全反射ミラー２８、２９を通して２台のＣＣＤカメラ３０、３１で撮像した画像を２分割モニタ３２に表示する。
【００３６】
この２分割カメラからなる光学顕微鏡６によって磁気ヘッドブロック１０の磁気ヘッドギャップ１１を撮像し、磁気ヘッドギャップ１１の両端の拡大画像を２分割モニタ３２に一画面で表示する。この２分割カメラからなる光学顕微鏡６では、高倍率の焦点深度の浅い対物レンズ２６を用いることにより、２分割モニタ３２から得られる合焦状態によって磁気ヘッドギャップ１１の傾斜情報をより明確に得ることができる。
【００３７】
磁気テープ記録再生装置７は装置基準面に対して磁気ヘッドギャップ１１の相対的な位置と傾きを、相互に直交する３軸の各軸心に沿った位置調整要素と各軸心廻りの回転方向に沿った傾き調整要素の６調整要素に関して調整するものであって、本実施の形態では、相互に直交する３軸をｘ、ｙ、ｚとし、３軸の各軸心廻りの回転方向成分をアジマス、ジーナス、ロールとして６調整要素を説明する。
【００３８】
ここで、ｚ軸は三次元空間座標における上下方向の座標軸であり、ｘ軸はｚ軸に直交し、光学顕微鏡６の光軸に直交する座標軸であり、ｙ軸はｚ軸、ｘ軸に直交し、光学顕微鏡６の光軸に沿った座標軸であり、アジマスはｙ軸の軸心廻りの回転方向成分であり、ジーナスはｘ軸の軸心廻りの回転方向成分であり、ロールはｚ軸の軸心廻りの回転方向成分である。
【００３９】
以上のように構成された磁気ヘッド位置調整装置を用いた、磁気ヘッドギャップとガイドローラとの相対位置の調整方法を以下に説明する。
まず、ガイドローラ調整工程、つまり磁気テープ記録再生装置７の装置基準面に対するガイドローラ９の相対位置の調整を行う。この調整は、３次元測定装置やオートコリメータ、レーザ測長機などの各種位置計測装置を使用する公知の技術において行うことができる。あるいは、本出願人が既に行った特許出願（特願２００３−４２０２４１号）に記載する技術において行うことができ、以下に述べるようなものである。
【００４０】
これは、平面間の高低差と傾斜角度を測定する測定装置を用いて行うものであり、測定装置は、相対的に不動な複数の平面を有する測定対象物体において何れか一つの平面を比較基準面とし、他の任意の平面を測定面として、比較基準面に対する測定面の高低差と傾斜角度を測定する装置であって、検査基準となる定盤面を有する定盤手段と、測定対象物体を比較基準面で定盤手段の定盤面に当接させて保持する測定対象物体保持手段と、定盤手段の定盤面の垂線方向と平行な方向において測定対象物体の測定面までの距離を複数の測定点で測長する測定手段とを有する。
【００４１】
測定に際しては、事前に測定手段の初期値として定盤手段の定盤面までの距離を測定する。このため、マスターワーク（基準器）を基準面で定盤手段の定盤面に押し当て測定対象物体保持手段で保持し、測定手段に対向するマスターワークの基準面を定盤面と同等であるとして基準面までの距離を測定手段で測長する。マスターワークは基準面が単一の平面であるものが標準である。
【００４２】
本測定時には、測定対象物体を比較基準面で定盤手段の定盤面に当接させて測定対象物体保持手段で保持し、測定手段に対向する測定対象物体の測定面までの距離を測長し、測長した実測値と初期値との差を測定値とする。
【００４３】
以下に詳しく説明する。定盤面と平行な仮想平面をマスターワークの基準面上および測定対象物体の測定面上に重ねて想定し、仮想平面に直交するＸ軸とＹ軸を設定し、Ｘ軸とＹ軸の交点を基準点としてＸ軸とＹ軸の軸上に所定距離だけ離間して存在するＹ軸上の第１測定点、Ｘ軸とＹ軸の交点上の第２測定点、Ｘ軸上の第３測定点を設定し、第１測定点と第２測定点との距離および第２測定点と第３測定点との距離を既知の所定値とする。
【００４４】
初期値の測定に際しては、測定手段に対向するマスターワークの基準面上に投影するＹ軸上の第１測定点、Ｘ軸とＹ軸の交点上の第２測定点、Ｘ軸上の第３測定点の各測定点において測長する。
【００４５】
そして、各測定点における実測値をそれぞれ、Ｙ軸上の第１測定点の初期値、Ｘ軸とＹ軸の交点上の第２測定点の初期値、Ｘ軸上の第３測定点の初期値とする。
本測定時には、測定対象物体を比較基準面で定盤手段の定盤面に当接させて測定対象物体保持手段で保持し、マスターワークに対する測定点と同じ測定点において測定手段に対向する測定対象物体の測定面までの距離を測長する。
【００４６】
そして、各測定点において測長した実測値と初期値との差を各測定点の測定値とし、第１測定点の測定値と、第２測定点の測定値と、第３測定点の測定値を算出する。
この算出した測定値のうち基準点である第２測定点の測定値を測定対象物体の比較基準面と測定面との高低差（Ｐｅｎｅｔｒａｔｉｏｎ）とする。
【００４７】
次に、測定対象物体の比較基準面に対する測定面の傾斜角度を算出する。Ｘ軸回りの傾斜角度（Ｐｉｔｃｈ）は、既知の所定値である第１測定点と第２測定点間の距離と、基準点である第２測定点における測定値と第１測定点における測定値の差値との関係から逆三角関数で算出する。Ｙ軸回りの傾斜角度（Ｒｏｌｌ）は、既知の所定値である第２測定点と第３測定点間の距離と、基準点である第２測定点における測定値と第３測定点における測定値の差値との関係から逆三角関数で算出する。
【００４８】
次に、磁気ヘッドギャップ調整工程、つまり磁気テープ記録再生装置７の装置基準面に対する磁気ヘッドブロック１０のテープ接触面である磁気ヘッドギャップ１１の相対位置の調整を行う。
【００４９】
まず、磁気テープ記録再生装置７の装置基準面に対して、磁気ヘッドブロック１０のスライダ面に組み込まれた磁気ヘッドギャップ１１の位置が、ある規格内となるよう組み付けられたマスターワークを、磁気ヘッド位置調整装置上にセットする。そして、光学顕微鏡６による磁気ヘッドギャップ１１の拡大画像が、図２の（ｄ）の状態となるよう光学顕微鏡６の位置校正を行ってその状態を完全に固定する。なお、光学顕微鏡６の位置調整機構（図示省略）による位置校正の操作については、一般的な技術であるのでここでは説明を省略する。
【００５０】
次に、校正完了後の磁気ヘッド位置調整装置に調整を行う磁気テープ記録再生装置７を設置し、磁気ヘッドブロック固定ネジ１５を緩め、光学顕微鏡６の２分割モニタ３２の画像をモニタしながら、まず要求調整精度の低い調整要素に対して調整を行う第一の調整工程を実施し、第一の調整工程の後に要求調整精度の高い調整要素に対して調整を行う第二の調整工程を実施する。
【００５１】
第一の調整工程では、要求調整精度の低い調整要素であるｘ、ｙ、ｚ、ロールの４調整要素について調整する。
まず、磁気ヘッドギャップ１１の両端が光学顕微鏡６の視野内に入り、２分割モニタ３２の画面内に映るように粗調整を行う。図２（ａ）はこのときのモニタ画像の様子を示している。
【００５２】
そして、図２（ｂ）に示すように、磁気ヘッドギャップ１１の両端を光学顕微鏡６の視野内に捕らえた状態で、ｙ成分調整により磁気ヘッドギャップ１１の両端のうちの片方のギャップ画像を合焦状態とする。
【００５３】
次に、第二の調整工程では、まず調整用ネジ１４ａを用いて要求調整精度の高い調整要素であるジーナス成分の調整を行う。このとき、ジーナス成分の調整によって磁気ヘッドギャップ１１に対する合焦状態が変化する場合は、ｙ方向成分も合わせて調整を行い、図２の（ｃ）に示すように、磁気ヘッドギャップ１１の両端のギャップ画像を合焦状態とする。
【００５４】
次に、調整用ネジ１４ｂ及び１４ｃを併用して、要求調整精度の高い調整要素であるアジマス成分の調整を行って、図２の（ｄ）に示す状態、すなわちマスターワークと同じ画像が得られた状態として全調整工程が完了する。
【００５５】
尚、本実施の形態では、装置基準面に対する磁気ヘッドギャップ１１の位置の調整・固定は、磁気テープ記録再生装置自体が有する調整機構を用いたが、第２の実施形態として、調整機構は、図６に示すように、磁気ヘッド位置調整装置の本体に、ロボットアーム等からなる磁気ヘッドブロック保持手段４１および６調整要素の方向に駆動可能な６軸駆動手段４２を設けることでも可能である。
【００５６】
そして、磁気ヘッドブロック保持手段４１および６軸駆動手段４２を用いて磁気ヘッドブロック１０および磁気ヘッドギャップ１１を６調整要素に関して調整し、接着剤４３により磁気ヘッドブロック１０を磁気テープ記録再生装置７に固定する事も可能である。
【産業上の利用可能性】
【００５７】
以上のように本発明によれば、磁気ヘッドブロックのスライダ面に組み込まれた磁気ヘッドギャップと、磁気ヘッドブロックを中心とした両側にそれぞれ一本ずつ適当な距離をおいて配された２本のガイドローラとの相対的な位置と傾きを、調整用基準テープを用いる事無く容易かつ高精度に調整することができるので、磁気テープ記録再生装置の組み付けに好適である。
【図面の簡単な説明】
【００５８】
【図１】本発明の第１の実施の形態にかかる磁気ヘッド位置調整装置の斜視図
【図２】同実施の形態にかかる磁気ヘッドギャップ調整過程の説明図
【図３】磁気テープ記録再生装置における磁気ヘッドギャップの位置調整の説明図
【図４】磁気テープ記録再生装置における従来のジーナス成分調整の説明図
【図５】２分割カメラの構成の一例を示すモデル図
【図６】本発明の第２の実施の形態にかかる磁気ヘッド位置調整装置の斜視図
【符号の説明】
【００５９】
１    第一の基準面
２    第二の基準面
３    位置決めピン
４、５    テーパ付平面段付加工位置決めピン
６    光学顕微鏡
７    磁気テープ記録再生装置
８    リールモータ
９    ガイドローラ
１０    磁気ヘッドブロック
１１    磁気ヘッドギャップ
１２    磁気ヘッドブロック取り付け板
１３    ダンパー
１４ａ〜１４ｃ    調整用ネジ
１５    磁気ヘッドブロック固定ネジ
１６    治具ベースプレート
１７    固定ピン
１８    レーザ測長機
１９    一軸移動手段
４１    磁気ヘッドブロック保持手段
４２    ６軸駆動手段
４３    接着剤
【図１】
2006252644.tif 000004
【図２】
2006252644.tif 000005
【図３】
2006252644.tif 000006
【図４】
2006252644.tif 000007
【図５】
2006252644.tif 000008
【図６】
2006252644.tif 000009